(57)【要約】      （修正有）【課題】傾斜板部の向きを所望の向きにできる包装箱を提供する。【解決手段】側面部の一部が分離部として分離可能な内箱部Ａ１と、内箱部を覆い、その側面部に形成された片部が分離部２４と接着された外箱部Ａ２とを有する。内箱部の正面部１０が、正面本体部１２と、正面部の上方の先端の先端部１８と、先端部から折れ線を介して連設された傾斜板部１６と、傾斜板部１６と正面本体部１２間に設けられた前開部１４とを有する。傾斜板部１６は、突状部１６Ａ、１６Ｂを有し、切込みＫ１６、Ｋ１８を正面本体部１２の突出部１２Ａ、１２Ｂに係止させて正面部１０を組み立てた際に、突状部１６Ａ、１６Ｂが正面本体部１２の正面側の面に当接する。突状部１６Ａ、１６Ｂの長さを調整することにより傾斜板部１６の向きを所望の向きにすることができる。【選択図】図３
0003179758.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、
一対の内側側面部及び底面部と隣接して形成された正面本体部で、上端に、正面本体部の底面部との間の折れ線である底辺に平行な第１辺部と第１辺部の両側から連設された第２辺部とにより形成された切欠部を有し、該一対の第２辺部には、互いに対向して内側に突出する突出部が設けられた正面本体部と、
正面本体部における第１辺部から第１折れ線を介して連設され、正面本体部と反対側に第１折れ線と平行な第３辺部を有する前開部と、
前開部の第３辺部から第２折れ線を介して連設された傾斜板部で、前開部と反対側に第１折れ線と平行な第４辺部を有する傾斜板部と、
傾斜板部の第４辺部から第３折れ線を介して連設された先端部とを有し、
傾斜板部は、傾斜板部と先端部間の両側に切込みを形成することにより第３折れ線よりも上方に突出した突状部を左右両側に有し、
前開部を正面本体部に対して第１折れ線を介して正面側に折り曲げるとともに、傾斜板部を前開部に対して第２折れ線を介して折り曲げ、傾斜板部と先端部の境界位置を正面本体部の上端に配置し、第３折れ線を上方から見て山折りの状態で、傾斜板部と先端部を下方に押し込んで正面部を組み立てることにより、正面本体部の上端部分が傾斜板部と先端部間の切込みに入り込み、該切込みが正面本体部における一対の突出部に係止するとともに、傾斜板部における突状部の先端が正面本体部の上端部分における正面側の面に当接して、傾斜板部が斜め上方を向いた状態となることを特徴とする包装箱。
【請求項２】
傾斜板部と先端部間に設けられた切込みが略コ字状の第１切込みと、第１切込みの外側の端部から第１折れ線と略平行に設けられ傾斜板部の左右方向の端部にまで形成された第２切込みを有し、先端部における左右両側の位置には下方に突出する第２突状部が形成されていることを特徴とする請求項１に記載の包装箱。
【請求項３】
前開部が、正面本体部から第１折れ線を介して連設された第１前開部と、第１前開部の正面本体部とは反対側の辺部で第１折れ線と平行な辺部から第４折れ線を介して連設され、傾斜板部と第２折れ線を介して連設されている第２前開部とを有するとともに、傾斜板部には開口部が設けられ、
正面部の組立てに際して、前開部を正面本体部に対して折り曲げ、傾斜板部を前開部に対して折り曲げるとともに、第２前開部を第１前開部に対して折り曲げて、正面部を組み立てた状態では、側面視において、第１前開部と第２前開部と傾斜板部とが略三角形状をなすことを特徴とする請求項１又は２に記載の包装箱。
【請求項４】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、
を有し、
内箱部と外箱部とが、それぞれ１枚のシート状のブランクにより形成されていて、
内側正面部は、
一対の内側側面部及び底面部と隣接して形成された正面本体部で、上端に、正面本体部の底面部との間の折れ線である底辺に平行な第１辺部と第１辺部の両側から連設された第２辺部とにより形成された切欠部を有し、該一対の第２辺部には、互いに対向して内側に突出する突出部が設けられた正面本体部と、
正面本体部における第１辺部から第１折れ線を介して連設され、正面本体部と反対側に第１折れ線と平行な第３辺部を有する第１前開部と、
第１前開部の第３辺部から第４折れ線を介して連設され、第１前開部と反対側に第１折れ線と平行な第５辺部を有する第２前開部と、
第２前開部の第５辺部から第２折れ線を介して連設され、第２前開部と反対側に第１折れ線と平行な第４辺部を有する傾斜板部で、開口部が形成された傾斜板部と、
傾斜板部の第４辺部から第３折れ線を介して連設された先端部とを有し、
傾斜板部は、傾斜板部と先端部間の両側に切込みを形成することにより第３折れ線よりも上方に突出した突状部を左右両側に有し、
第１前開部を正面本体部に対して第１折れ線を介して正面側に折り曲げ、第２前開部を第１前開部に対して第４折れ線を介して折り曲げるとともに、傾斜板部を第２前開部に対して第２折れ線を介して折り曲げ、傾斜板部と先端部の境界位置を正面本体部の上端に配置し、第３折れ線を上方から見て山折りの状態で、傾斜板部と先端部を下方に押し込んで正面部を組み立てることにより、正面本体部の上端部分が傾斜板部と先端部間の切込みに入り込み、該切込みが正面本体部における一対の突出部に係止するとともに、傾斜板部における突状部の先端が正面本体部の上端部分における正面側の面に当接し、傾斜板部が斜め上方を向いた状態となることを特徴とする包装箱。
【請求項５】
傾斜板部と先端部間に設けられた切込みが略コ字状の第１切込みと、第１切込みの外側の端部から第１折れ線と略平行に設けられ傾斜板部の左右方向の端部にまで形成された第２切込みを有し、先端部における左右両側の位置には下方に突出する第２突状部が形成されていることを特徴とする請求項４に記載の包装箱。
【請求項６】
傾斜板部には、内箱部に収納された被収納物の広告が表示されていることを特徴とする請求項１又は２又は３又は４又は５に記載の包装箱。
【請求項７】
第１切目線が、ミシン目状の切込みにより形成され、第２切目線が、ミシン目状の切込み又は連続して形成された切込みにより形成されていることを特徴とする請求項１又は２又は３又は４又は５又は６に記載の包装箱。
【請求項８】
底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする請求項１又は２又は３又は４又は５又は６又は７に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、底面部と正面部と両側の側面部と背面部とを有する箱体において、正面部が、底面部から連設された正面本体部と、正面部の上方の先端に位置する先端部と、先端部から折れ線を介して連設された傾斜板部と、傾斜板部と正面本体部間に設けられた前開部とを有し、先端部と傾斜板部間に切込み又は切欠きが設けられ、この切込み又は切欠きを正面部に係止させるものとして特許文献１〜３のものが存在する。
【０００３】
例えば、特許文献１の包装箱においては、前壁１の上端から順に前開部８、前掲板９、内前板１１が形成され、内前板１１と前掲板９間に切込１５が形成されて、切込１５が前壁１の係合部１４に係合させるものであり、前掲板９に広告が表示される。つまり、内前板１１が上記先端部に相当し、前掲板９が上記傾斜板部に相当し、前開部８が上記前開部に相当する。
【０００４】
また、特許文献２の包装箱においては、前板４の上端から順に蓋板１４、差込片１６が連設され、前板４を折曲げ線２２を介して折り曲げて、蓋板１４を前板４に折り重ね、蓋板１４と差込片１６間に形成された切欠部１７Ａ、１７Ｂを前板４の掛止部２７Ａ、２７Ｂに掛止させることにより、蓋板１４を表示板として使用するものである。つまり、差込片１６が上記先端部に相当し、蓋板１４が上記傾斜板部に相当し、前板４の上側部分が上記前開部に相当する。
【０００５】
また、特許文献３に記載のディスプレイ兼用カートンにおいては、正面板３の底辺から所定距離離れた位置に表示部下端横折線Ｌ１３と表示部下端横折線Ｌ１３から上方に向かって形成された切目線１６、１６’を設け、表示部下端横折線Ｌ１３から上方に折り出し板１９、表示板２０、係止用差込板２１が設けられ、表示部２０と係止用差込板２１間に係止用切込部１８、１８’を設けて、係止用切込部１８、１８’を切目線１６、１６’の内側に係止させる。つまり、係止用差込板２１が上記先端部に相当し、表示部２０が上記傾斜板部に相当し、折り出し板１９が上記前開部に相当する。
【０００６】
また、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献４に示す先行技術文献についての出願を行っている。
【先行技術文献】
【特許文献】
【０００７】
【特許文献１】特開２００６−８１５０号公報
【特許文献２】特開２００５−５３５６０号公報
【特許文献３】特開２００４−５１１５０号公報
【特許文献４】実用新案登録第３１３９９４８号公報
【考案の概要】
【考案が解決しようとする課題】
【０００８】
しかし、上記特許文献１〜３に記載の包装箱（ディスプレイ兼用カートン）においては、傾斜板部に相当する部材の向きを所望の向きにすることができないという問題があった。
【０００９】
つまり、特許文献１に記載の包装箱においては、前掲板９の折り曲げが復元することにより前掲板９が斜め上方を向いた状態で保持されるが、前掲板９の折り曲げの復元力の大きさによっては前掲板９の向きが変化してしまい、所望の向きに固定することができない。
【００１０】
また、特許文献２に記載の包装箱においては、切欠部１７Ａ、１７Ｂを前板４の掛止部２７Ａ、２７Ｂに掛止させることにより、蓋板１４は差込片１６と前板４間に支持されているのみであるので、蓋板１４を所望の向きに固定することができない。
【００１１】
また、特許文献３に記載のディスプレイ兼用カートンにおいては、係止用切込部１８、１８’を切目線１６、１６’の内側に係止させることにより、表示板２０が係止用差込板２１と折り出し板１９間に支持されているのみであるので、表示板２０を所望の向きに固定することができない。
【００１２】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱で、内箱部における正面部が、底面部から連設された正面本体部と、正面部の上方の先端に位置する先端部と、先端部から折れ線を介して連設された傾斜板部と、傾斜板部と正面本体部間に設けられた前開部とを有し、先端部と傾斜板部間に切込みが設けられ、この切込みを正面部に係止させることにより、傾斜板部を傾斜して支持することができる包装箱において、傾斜板部の向きを所望の向きにすることができる包装箱を提供することである。
【課題を解決するための手段】
【００１３】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部及び底面部と隣接して形成された正面本体部で、上端に、正面本体部の底面部との間の折れ線である底辺に平行な第１辺部と第１辺部の両側から連設された第２辺部とにより形成された切欠部を有し、該一対の第２辺部には、互いに対向して内側に突出する突出部が設けられた正面本体部と、正面本体部における第１辺部から第１折れ線を介して連設され、正面本体部と反対側に第１折れ線と平行な第３辺部を有する前開部と、前開部の第３辺部から第２折れ線を介して連設された傾斜板部で、前開部と反対側に第１折れ線と平行な第４辺部を有する傾斜板部と、傾斜板部の第４辺部から第３折れ線を介して連設された先端部とを有し、傾斜板部は、傾斜板部と先端部間の両側に切込みを形成することにより第３折れ線よりも上方に突出した突状部を左右両側に有し、前開部を正面本体部に対して第１折れ線を介して正面側に折り曲げるとともに、傾斜板部を前開部に対して第２折れ線を介して折り曲げ、傾斜板部と先端部の境界位置を正面本体部の上端に配置し、第３折れ線を上方から見て山折りの状態で、傾斜板部と先端部を下方に押し込んで正面部を組み立てることにより、正面本体部の上端部分が傾斜板部と先端部間の切込みに入り込み、該切込みが正面本体部における一対の突出部に係止するとともに、傾斜板部における突状部の先端が正面本体部の上端部分における正面側の面に当接して、傾斜板部が斜め上方を向いた状態となることを特徴とする。
【００１４】
第１の構成の包装箱においては、正面部を組み立てた状態において、傾斜板部が斜め上方を向いた状態となるので、傾斜板部に表示された広告を見やすくすることができる。
【００１５】
また、傾斜板部の突状部の突出長さを傾斜板部が所望の向きとなるように形成しておくことにより、傾斜板部の向きを所望の向きにすることができ、ユーザーが広告内容を見やすい向きにすることができる。
【００１６】
また、第２には、上記第１の構成において、傾斜板部と先端部間に設けられた切込みが略コ字状の第１切込みと、第１切込みの外側の端部から第１折れ線と略平行に設けられ傾斜板部の左右方向の端部にまで形成された第２切込みを有し、先端部における左右両側の位置には下方に突出する第２突状部が形成されていることを特徴とする。
【００１７】
よって、正面部を組み立てた状態では、第２突状部が先端部における第２突状部以外の部分に対して折曲した状態で正面本体部の背面側の面に当接して、先端部の正面本体部への固定が強固となる。
【００１８】
また、第３には、上記第１又は第２の構成において、前開部が、正面本体部から第１折れ線を介して連設された第１前開部と、第１前開部の正面本体部とは反対側の辺部から第４折れ線を介して連設され、傾斜板部と第２折れ線を介して連設されている第２前開部とを有するとともに、傾斜板部には開口部が設けられ、
正面部の組立てに際して、前開部を正面本体部に対して折り曲げ、傾斜板部を前開部に対して折り曲げるとともに、第２前開部を第１前開部に対して折り曲げて、正面部を組み立てた状態では、側面視において、第１前開部と第２前開部と傾斜板部とが略三角形状をなすことを特徴とする。よって、第２前開部に開口部を設けることにより、該開口部から被収納物を収納することができる。
【００１９】
また、第４には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含み第２切目線を介して形成された片部が該外側側面部の他の部分に対して回動可能に形成された外箱部と、を有し、内箱部と外箱部とが、それぞれ１枚のシート状のブランクにより形成されていて、内側正面部は、一対の内側側面部及び底面部と隣接して形成された正面本体部で、上端に、正面本体部の底面部との間の折れ線である底辺に平行な第１辺部と第１辺部の両側から連設された第２辺部とにより形成された切欠部を有し、該一対の第２辺部には、互いに対向して内側に突出する突出部が設けられた正面本体部と、正面本体部における第１辺部から第１折れ線を介して連設され、正面本体部と反対側に第１折れ線と平行な第３辺部を有する第１前開部と、第１前開部の第３辺部から第４折れ線を介して連設され、第１前開部と反対側に第１折れ線と平行な第５辺部を有する第２前開部と、第２前開部の第５辺部から第２折れ線を介して連設され、第２前開部と反対側に第１折れ線と平行な第４辺部を有する傾斜板部で、開口部が形成された傾斜板部と、傾斜板部の第４辺部から第３折れ線を介して連設された先端部とを有し、傾斜板部は、傾斜板部と先端部間の両側に切込みを形成することにより第３折れ線よりも上方に突出した突状部を左右両側に有し、第１前開部を正面本体部に対して第１折れ線を介して正面側に折り曲げ、第２前開部を第１前開部に対して第４折れ線を介して折り曲げるとともに、傾斜板部を第２前開部に対して第２折れ線を介して折り曲げ、傾斜板部と先端部の境界位置を正面本体部の上端に配置し、第３折れ線を上方から見て山折りの状態で、傾斜板部と先端部を下方に押し込んで正面部を組み立てることにより、正面本体部の上端部分が傾斜板部と先端部間の切込みに入り込み、該切込みが正面本体部における一対の突出部に係止するとともに、傾斜板部における突状部の先端が正面本体部の上端部分における正面側の面に当接し、傾斜板部が斜め上方を向いた状態となることを特徴とする。
【００２０】
第４の構成の包装箱においては、開口部から被収納物を収納することができる。また、正面部を組み立てた状態において、傾斜板部が斜め上方を向いた状態となるので、傾斜板部に広告を表示した場合に該広告を見やすくすることができる
また、傾斜板部の突状部の突出長さを傾斜板部が所望の向きとなるように形成しておくことにより、傾斜板部の向きを所望の向きにすることができ、被収納物の向きを所望の向きとすることができるとともに、ユーザーが広告内容を見やすい向きにすることができる。
【００２１】
また、第５には、上記第４の構成において、傾斜板部と先端部間に設けられた切込みが略コ字状の第１切込みと、第１切込みの外側の端部から第１折れ線と略平行に設けられ傾斜板部の左右方向の端部にまで形成された第２切込みを有し、先端部における左右両側の位置には下方に突出する第２突状部が形成されていることを特徴とする。  よって、正面部を組み立てた状態では、第２突状部が先端部における第２突状部以外の部分に対して折曲した状態で正面本体部の背面側の面に当接して、先端部の正面本体部への固定が強固となる。
【００２２】
また、第６には、上記第１から第５までのいずれかの構成において、傾斜板部には、内箱部に収納された被収納物の広告が表示されていることを特徴とする。
【００２３】
また、第７には、上記第１から第６までのいずれかの構成において、第１切目線が、ミシン目状の切込みにより形成され、第２切目線が、ミシン目状の切込み又は連続して形成された切込みにより形成されていることを特徴とする。
【００２４】
また、第８には、上記第１から第７までのいずれかの構成において、底面部は、一対の内側側面部の一方における下辺から連設された第１片部と、内側正面部の下辺から連設された第２片部と、内側背面部の下辺から連設された第３片部と、一対の内側側面部の他方における下辺から連設された第４片部とにより形成され、内側スリーブ状部における隣接する各部を互いに直角にすることにより底面部が略方形状の外形を有することを特徴とする。
【考案の効果】
【００２５】
本考案に基づく包装箱によれば、正面部を組み立てた状態において、傾斜板部が斜め上方を向いた状態となるので、傾斜板部に表示された広告を見やすくすることができる。また、前開部が第１前開部と第２前開部とを有し、傾斜板部に開口部が設けられた場合には、開口部から被収納物を収納することができる。
【００２６】
また、傾斜板部の突状部の突出長さを傾斜板部が所望の向きとなるように形成しておくことにより、傾斜板部の向きを所望の向きにすることができる。これにより、ユーザーが広告内容を見やすい向きにすることができ、また、前開部が第１前開部と第２前開部とを有し、傾斜板部に開口部が設けられていて、被収納物が収納可能とした場合には、被収納物の向きを所望の向きにすることができる。
【図面の簡単な説明】
【００２７】
【図１】本考案の実施例に基づく包装箱の前方斜視図である（実施例１）。
【図２】本考案の実施例に基づく包装箱の後方斜視図である（実施例１）。
【図３】本考案の実施例に基づく包装箱の分解斜視図である（実施例１）。
【図４】本考案の実施例に基づく包装箱の底面図である。
【図５】内箱部の展開図である（実施例１）。
【図６】図５の要部拡大図である（実施例１）。
【図７】外箱部の展開図である。
【図８】包装箱を折り畳んだ状態を示す平面図である。
【図９】包装箱を折り畳んだ際の内箱部の折り畳み状態を示す平面図である（実施例１）。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】正面部を組み立てた状態を示す斜視図である。
【図１６】正面部を組み立てた状態を背面側斜め上方から見た要部斜視図である。
【図１７】正面部を組み立てた状態の要部側面図である。
【図１８】内箱部の展開図である（実施例２）。
【図１９】正面部を組み立てた状態を示す斜視図である（実施例２）。
【図２０】内箱部の展開図である（実施例３）。
【図２１】正面部を組み立てた状態を示す斜視図である（実施例３）。
【考案を実施するための形態】
【００２８】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部における正面部が、底面部から連設された正面本体部と、正面部の上方の先端に位置する先端部と、先端部から折れ線を介して連設された傾斜板部と、傾斜板部と正面本体部間に設けられた前開部とを有し、先端部と傾斜板部間に切込みが設けられ、この切込みを正面部に係止させることにより、傾斜板部を傾斜して支持することができる包装箱において、傾斜板部の向きを所望の向きにすることができる包装箱を提供するという目的を以下のようにして実現した。
【実施例１】
【００２９】
本考案に基づく包装箱Ａは、図１〜図８等に示すように構成され、内箱部Ａ１と、外箱部Ａ２とを有していて、それぞれが１枚のシート状のブランク（具体的には段ボール（特に、両面段ボール）であり、厚紙等でもよい）により形成されている。なお、両面段ボールにおける中芯の段の方向は、図５、図７に示す円内に示す方向である。
【００３０】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００３１】
ここで、正面部１０は、正面本体部１２と、正面本体部１２から折れ線（第１折れ線）Ｃ１２を介して連設された前開部１４と、前開部１４から折れ線Ｃ１２と平行な折れ線（第２折れ線）Ｃ１４を介して連設された傾斜板部（表示部）１６と、傾斜板部１６から折れ線Ｃ１２と平行な折れ線（第３折れ線）Ｃ１６を介して連設された先端部１８とを有している。なお、折れ線Ｃ１２に沿って所定の間隔で直線状の切込みＫ１４が形成されている。
【００３２】
正面本体部１２は、方形状（具体的には長方形状）の上端に切欠部を形成した形状を呈し、該切欠部は、折れ線Ｃ１２及び切込みＫ１４に沿った辺部（第１辺部）１２ａと、辺部１２ａの左側面側の端部から正面本体部１２の上端に向けて形成された辺部（第２辺部）１２ｂと、辺部１２ａの右側面側の端部から正面本体部１２の上端に向けて形成された辺部（第２辺部）１２ｃとから構成されている。正面本体部１２は、底面部５０（具体的には、第１片部６０）から折れ線を介して連設されるとともに、側面部２０及び側面部３０から折れ線を介して連設されている。つまり、正面本体部１２は、底面部５０、側面部２０、３０と隣接して形成されている。
【００３３】
ここで、辺部１２ｂは、上方に直線状に短く形成された辺部１２ｂ−１と、辺部１２ｂ−１の上端から内側に突出するように形成された曲線状の辺部１２ｂ−２と、辺部１２ｂ−２の辺部１２ｂ−１とは反対側の端部から上方で外側に傾斜して形成された直線状の辺部１２ｂ−３とを有している。また、辺部１２ｃは、辺部１２ｂと対称（線対称）に形成され、辺部１２ｃは、上方に直線状に短く形成された辺部１２ｃ−１と、辺部１２ｃ−１の上端から内側に突出するように形成された曲線状の辺部１２ｃ−２と、辺部１２ｃ−２の辺部１２ｃ−１とは反対側の端部から上方で外側に傾斜して形成された直線状の辺部１２ｃ−３とを有している。これにより、正面本体部１２の上端に形成された切欠部の内側には、突出部１２Ａと突出部１２Ｂとが側方に突出して形成されている。
【００３４】
また、折れ線Ｃ１２及び辺部１２ａは、正面本体部１２の底面部５０（具体的には、第１片部６０）との間の折れ線Ｃ９（つまり、正面本体部１２の底辺）と平行になっている。
【００３５】
また、前開部１４は、折れ線Ｃ１２及び切込みＫ１４に沿った辺部１４ａと、辺部１４ａの左側面側の端部から連設され、正面本体部１２との境界をなす切込みＫ１２ａに沿った辺部１４ｂと、辺部１４ａの右側面側の端部から連設され、正面本体部１２との境界をなす切込みＫ１３ａに沿った辺部１４ｃと、辺部１４ｂの辺部１４ａとは反対側の端部から上方に向けて形成され、鉛直方向に直線状に伸びるとともに外側に直線状に傾斜し、さらに、鉛直方向に直線状に伸びた辺部１４ｄと、辺部１４ｃの辺部１４ａとは反対側の端部から上方に向けて形成され、鉛直方向に直線状に伸びるとともに外側に直線状に傾斜し、さらに、鉛直方向に直線状に伸びた辺部１４ｅと、辺部１４ｄの上端から連設され、折れ線Ｃ１４に沿った辺部１４ｆ（第３辺部）と、辺部１４ｅの上端から連設され、折れ線Ｃ１４に沿った辺部１４ｇ（第３辺部）と、辺部１４ｆと辺部１４ｇ間に形成され、切込みＫ１５に沿って形成された辺部１４ｈにより囲まれた形状を呈している。
【００３６】
なお、切込みＫ１２は、辺部１２ｂと辺部１２ｂから連設された正面本体部１２の上端の水平方向の辺部の一部に沿って形成された切込みＫ１２ａと、切込みＫ１２ａの下端から下方に僅かに形成された直線状の切込みＫ１２ｂとを有している。また、切込みＫ１３は、辺部１２ｃと辺部１２ｃから連設された正面本体部１２の上端の水平方向の辺部の一部に沿って形成された切込みＫ１３ａと、切込みＫ１３ａの下端から下方に僅かに形成された直線状の切込みＫ１３ｂとを有している。また、辺部１４ｅと辺部１４ｄとは互いに対称（線対称）に形成されている。また、切込みＫ１５は、折れ線Ｃ１４と平行な直線状部と該直線状部の両側から上方に湾曲する湾曲状部とを有し、切込みＫ１５の両端が折れ線Ｃ１４と接続している。
【００３７】
また、傾斜板部１６は、全体に略長方形状を呈し、切込みＫ１５に沿った辺部１６ａと、辺部１６ａの左側面側の端部から連設され、折れ線Ｃ１４に沿った辺部１６ｂと、辺部１６ａの右側面側の端部から連設され、折れ線Ｃ１４に沿った辺部１６ｃと、辺部１６ｂの左側面側の端部から鉛直方向に形成された辺部１６ｄ（辺部１６ｄは、辺部１４ｄの鉛直方向の上端部分の延長線上にある）と、辺部１６ｃの右側面側の端部から鉛直方向に形成された辺部１６ｅ（辺部１６ｅは、辺部１４ｅの鉛直方向の上端部分の延長線上にある）と、辺部１６ｄの上端から折れ線Ｃ１６と略平行に形成された辺部１６ｆと、辺部１６ｆの右側面側の端部から連設され、略コ字状の辺部１６ｇと、辺部１６ｅの上端から折れ線Ｃ１６と略平行に形成された辺部１６ｈと、辺部１６ｈの左側面側の端部から連設され、略コ字状の辺部１６ｉと、辺部１６ｇの辺部１６ｆとは反対側の端部から連設され、折れ線Ｃ１６に沿って形成された辺部１６ｊ（第４辺部）と、辺部１６ｉの辺部１６ｈとは反対側の端部から連設され、折れ線Ｃ１６に沿って形成された辺部１６ｋ（第４辺部）と、辺部１６ｊと辺部１６ｋ間に形成され、切込みＫ１９に沿って形成された辺部１６ｌにより囲まれた形状を呈している。辺部１６ｇは、折れ線Ｃ１２と平行な辺部１６ｇ−２と、辺部１６ｇ−２の両側から下方に形成された辺部１６ｇ−１、１６ｇ−３とを有し、また、辺部１６ｉは、折れ線Ｃ１２と平行な辺部１６ｉ−２と、辺部１６ｉ−２の両側から下方に形成された辺部１６ｉ−１、１６ｉ−３とを有している。
【００３８】
なお、辺部１６ｆ及び辺部１６ｇは、切込みＫ１６を形成することにより形成され、切込みＫ１６は、辺部１６ｆ及び辺部１６ｇに沿って形成された切込みＫ１６ａと、切込みＫ１６ａの右側面側の端部から斜め下方に右側面側に形成された直線状の切込みＫ１６ｂとから構成されている。切込みＫ１６ａは、傾斜板部１６と先端部１８間に設けられ、切込みＫ１６ａは、傾斜板部１６と先端部１８の間を区画している。切込みＫ１６ａにおける辺部１６ｇに沿った部分が第１切込みとなり、辺部１６ｆに沿った部分が第２切込みとなる。
【００３９】
また、辺部１６ｈ及び辺部１６ｉは、切込みＫ１８を形成することにより形成され、切込みＫ１８は、辺部１６ｈ及び辺部１６ｉに沿って形成された切込みＫ１８ａと、切込みＫ１８ａの左側面側の端部から斜め下方に左側面側に形成された直線状の切込みＫ１８ｂとから構成されている。切込みＫ１８ａは、傾斜板部１６と先端部１８間に設けられ、切込みＫ１８ａは、傾斜板部１６と先端部１８の間を区画している。切込みＫ１８ａにおける辺部１６ｉに沿った部分が第１切込みとなり、辺部１６ｈに沿った部分が第２切込みとなる。
【００４０】
傾斜板部１６においては、辺部１６ｇにより突状部１６Ａが形成され、辺部１６ｉにより突状部１６Ｂが形成されている。
【００４１】
なお、切込みＫ１６ａは、辺部１６ｆ及び辺部１６ｇに沿って形成されているとしたが、辺部１６ｇ−１と辺部１６ｆを設ける代わりに、辺部１６ｇ−２を外側に延長させた形状とし、該辺部に沿って切込みを形成してもよい。同様に、切込みＫ１８ａは、辺部１６ｈ及び辺部１６ｉに沿って形成されているとしたが、辺部１６ｉ−１と辺部１６ｈを設ける代わりに、辺部１６ｉ−２を外側に延長させた形状とし、該辺部に沿って切込みを形成してもよい。
【００４２】
また、切込みＫ１９は、折れ線Ｃ１６と平行な直線状部と該直線状部の両側から下方に直線状に傾斜した傾斜部とを有し、切込みＫ１９の両端が折れ線Ｃ１６と接続している。切込みＫ１９は、傾斜板部１６と先端部１８間に設けられ、切込みＫ１９は、傾斜板部１６と先端部１８の間を区画している。
【００４３】
以上のようにして、傾斜板部１６は、先端部１８との境界位置に折れ線Ｃ１６よりも先端部１８側に突出した突状部１６Ａ、１６Ｂを有しており、突状部１６Ａ、１６Ｂの折れ線Ｃ１６から上方への突出長さＷを調整することによって、正面部１０を組み立てた際に、傾斜板部１６の向きを所望の長さにすることができる。なお、傾斜板部１６における突状部１６Ａ、１６Ｂ以外の部分を傾斜板部本体とすることにより、傾斜板部１６は、傾斜板部本体と、突状部１６Ａ、１６Ｂを有しているといえる。
【００４４】
傾斜板部１６の外側の面には、予め商品の広告等の表示内容を印刷しておく。つまり、傾斜板部１６は、表示部として機能する。なお、内箱部Ａ１の展開状態において、傾斜板部１６の外側の面は、内箱部Ａ１の外側の面と同じ面となるので、内箱部Ａ１の傾斜板部１６以外の領域と同時に傾斜板部１６に印刷を行なうことができる。
【００４５】
また、先端部１８は、先端の両側の角部にアールを設けた略長方形状を呈し、折れ線Ｃ１６と平行な辺部１８ａと、辺部１８ａの左側面側の端部から連設された円弧状の辺部１８ｂと、辺部１８ａの右側面側の端部から連設された円弧状の辺部１８ｃと、円弧状部１８ｂの下端から下方に形成された辺部１８ｄと、円弧状部１８ｃの下端から下方に形成された辺部１８ｅと、辺部１８ｄの下端から切込みＫ１６ａに沿って形成された辺部１８ｆと、辺部１８ｅの下端から切込みＫ１８ａに沿って形成された辺部１８ｇと、辺部１８ｆの右側面側の端部から折れ線Ｃ１６に沿って形成された辺部１８ｈと、辺部１８ｇの左側面側の端部から折れ線Ｃ１６に沿って形成された辺部１８ｉと、辺部１８ｈと辺部１８ｉ間に形成され、切込みＫ１９に沿って形成された辺部１８ｊとによって囲まれた形状を呈している。
【００４６】
また、先端部１８において、切込みＫ１６、Ｋ１８により下方に突出した部分が突状部（第２突状部）１８Ａ、１８Ｂとなる（図３等参照）。なお、先端部１８における突状部１８Ａ、１８Ｂ以外の部分を先端部本体とすることにより、先端部１８は、先端部本体と、突状部１８Ａ、１８Ｂを有しているといえる。
【００４７】
なお、折れ線Ｃ１２と折れ線Ｃ１４間の鉛直方向の長さｈ１と、折れ線Ｃ１２と折れ線Ｃ１４間の鉛直方向の長さｈ２とは略同一に形成されている。
【００４８】
なお、正面部１０は全体に左右対称に形成されていて、正面本体部１２、前開部１４、傾斜板部１６、先端部１８はそれぞれ左右対称に形成されている。
【００４９】
ここで、正面部１０を組み立てた状態では、図１５〜図１７に示すように、傾斜板部１６は正面側斜め上方を向いた状態に固定され、傾斜板部１６の方向と水平方向のなす角度αは鋭角となるが、突状部１６Ａ、１６Ｂの折れ線Ｃ１６から上方への突出長さＷを調整することにより、前開部１４における折れ線Ｃ１２と折れ線Ｃ１４間の長さは一定であるので、傾斜板部１６の向きを調整することができる。例えば、突状部１６Ａ、１６Ｂの突出長さＷを長くすると、傾斜板部１６における折れ線Ｃ１４と突状部１６Ａ、１６Ｂの上端間の長さｈ２１が長くなるが、前開部１４における折れ線Ｃ１２と折れ線Ｃ１４間の長さは一定であるので、その分、角度αが大きくなる。一方、突状部１６Ａ、１６Ｂの突出長さＷを短くすると、傾斜板部１６における折れ線Ｃ１４と突状部１６Ａ、１６Ｂの上端間の長さｈ２１が短くなるので、その分、角度αが小さくなる。よって、傾斜板部１６の角度αを大きくしたい場合には、突状部１６Ａ、１６Ｂの長さを長く形成し、傾斜板部１６の角度αを小さくしたい場合には、突状部１６Ａ、１６Ｂの長さを短く形成しておく。
【００５０】
また、側面部２０は、正面部１０の正面本体部１２の正面視における右側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部２０は、本体部２２と、分離部２４とを有している。
【００５１】
ここで、側面部２０の上端の領域の一部に切目線（第１切目線）Ｋ２と切目線Ｋ４とからなる境界線で区画することにより分離部２４が形成されている。切目線Ｋ２は、ミシン目状の切込み（間隔をおきながら形成された切込み）（切断予定線）であり、切目線Ｋ４は、連続した切込みにより形成されている。本体部２２は、側面部２０における分離部２４を除いた領域となる。
【００５２】
すなわち、切目線Ｋ２は、横方向（略水平方向）に略円弧状に形成され、切目線Ｋ４は、切目線Ｋ２の背面側の端部から垂直方向（つまり、水平方向（側面部２０の下辺の方向）に直角の方向）に直線状に形成されている。つまり、分離部２４は、側面部２０の上端の領域の一部、すなわち、正面部側の端部から背面部側の端部にまでの上端の縁部に接する領域に形成され、本体部２２と切目線Ｋ２を介して分離可能に形成されている。
【００５３】
分離部２４は、正面側と背面側が直線状に形成され、上面側と下面側が円弧状に形成されている。分離部２４の正面側と背面側の辺部は垂直方向に形成されている。つまり、分離部２４の下辺は切目線Ｋ２により形成され、分離部２４の背面側の辺部は切目線Ｋ４により形成されている。
【００５４】
分離部２４の形状は、外箱部Ａ２の側面の片部１２６を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、切目線Ｋ４は、水平方向に対して９０度以下（具体的には、９０度）に形成されている。つまり、切目線Ｋ４の角度が９０度よりも大きくなってしまうと、分離部２４を本体部２２に対して上方に移動させる際に、本体部２２が支障となる可能性があるが、本実施例の場合にはそのようなおそれがない。
【００５５】
本体部２２は、側面部２０における分離部２４以外の部分であり、全体に略Ｌ字状を呈し、その屈曲部の内側に分離部２４が形成されているといえる。
【００５６】
この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したまま切目線Ｋ２が破断されて、分離部２４が本体部２２から分離するように形成されている。分離部２４は、片部１２６よりも小さく形成されていて、分離部２４の外形が片部１２６の外形よりもはみだすことがない。
【００５７】
また、側面部３０は、正面部１０の正面視における左側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部３０は、本体部３２と、分離部３４とを有している。この側面部３０の構成は、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。
【００５８】
なお、側面部３０の上端の領域の一部に切目線（第１切目線）Ｋ６と切目線Ｋ８とからなる境界線で区画することにより分離部３４が形成されている。切目線Ｋ６は、ミシン目状の切込み（間隔をおきながら形成された切込み）（切断予定線）により形成され、切目線Ｋ８は、連続した切込みにより形成されている。
【００５９】
また、分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したまま切目線Ｋ６が破断されて、分離部３４が本体部３２から分離するように形成されている。
【００６０】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００６１】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００６２】
また、底面部５０は、第１片部６０と、第２片部７０と、第３片部８０と、第４片部９０とを有し、包装箱Ａの組立て状態においては、図４に示すように、略方形状の外形を呈している。
【００６３】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００６４】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の角部）からは第２片部７０の側面部２０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００６５】
また、第３片部８０は、側面部３０の下端から折れ線を介して連設され、底面部５０の組立て状態においては、第２片部７０と点対称に形成されている。すなわち、第３片部８０は、側面部３０の下端から折れ線を介して連設され、略長方形状に形成され、第３片部８０の上面の一部が内箱部Ａ１の内底面の一部を形成している。また、第３片部８０の角部（側面部３０と正面部１０の境界位置の角部）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００６６】
また、第４片部９０は、背面部４０の下端から折れ線を介して連設され、先端側にいくほど幅狭となる略台形形状に形成され、その上面の一部が内箱部Ａ１の内底面の一部を形成している。
【００６７】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、第２片部７０の本体部７２を上方に回動させて側面部２０に対して略平行にし、第３片部８０の本体部８２を上方に回動させて側面部３０に対して略平行にすることにより、図９に示すように、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００６８】
次に、外箱部Ａ２は、内箱部Ａ１を覆う箱体であり、図１〜図４、図７等に示すように、スリーブ状部（外側スリーブ状部）１０５と、上面部１６０、１７０、１８０、１９０とを有していて、その展開状態は、図７に示すように形成されている。
【００６９】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００７０】
ここで、正面部１１０は、方形状（長方形状）の板状を呈している。この正面部１１０の横幅は、内箱部Ａ１を外箱部Ａ２内に収納することができるように、正面部１０（具体的には、正面本体部１２）の横幅よりも若干大きく形成されている。
【００７１】
また、側面部１２０は、正面部１１０の正面視における右側の端部から折れ線Ｋ１１２を介して連設され、方形状を呈し、切目線（第２切目線）１２２と切目線１２４ａ、１２４ｂが形成されている。
【００７２】
ここで、切目線１２２は、ミシン目状の切込み（間隔をおきながら形成された切込み）（切断予定線）により形成され、略コ字状を呈し、横方向に形成された略円弧状の切目線１２２ａと、切目線１２２ａの端部（右側面視における左側の端部）から下側に向けて縦方向（側面部１２０の下辺と略直角な方向）に形成された直線状の切目線１２２ｂと、切目線１２２ｂの下端から横方向で切目線１２２ａに対して略平行に形成された略円弧状の切目線１２２ｃにより、全体に略コ字状に形成されている。また、切目線１２２ａの長さと切目線１２２ｃの長さは略同一に形成されている。この切目線１２２ａと切目線１２２ｃ間の幅は、内箱部Ａ１の分離部２４の縦方向の幅よりも大きく形成され、また、切目線１２２ａや切目線１２２ｃの長さは、分離部２４の横方向の幅よりも大きく形成されている。以上のように、切目線１２２と、切目線１２２ａ及び切目線１２２ｃの切目線１２２ｂ側とは反対側の端部間を結ぶ折れ線Ｃ１２６により囲まれた領域が、片部１２６となる。
【００７３】
また、切目線１２２ｂの上端から下端に向けての途中位置には、切目線１２２ａや切目線１２２ｃが設けられている側とは反対側に、横方向に互いに平行な切目線１２４ａ、１２４ｂが形成されている。つまり、切目線１２４ａと切目線１２４ｂは、互いに平行に形成され、連続した切込みにより形成されている。また、切目線１２４ａは、切目線１２２ａよりも下側に形成され、切目線１２４ｂは、切目線１２２ｃよりも上側に形成されている。以上のように、切目線１２４ａと、切目線１２４ｂと、切目線１２２ｂと、切目線１２４ａ及び切目線１２４ｂの切目線１２２ｂ側とは反対側の端部間を結ぶ直線状の折れ線Ｃ１２８により囲まれた領域が、片部１２８となる。この側面部１２０の横幅は、内箱部Ａ１を外箱部Ａ２内に収納することができるように、側面部２０の横幅よりも若干大きく形成されている。
【００７４】
なお、正面部１１０と側面部１２０の境界位置には、所定間隔で切込みが形成された（つまり、折曲しやすいように切込みが形成されている）直線状の折れ線Ｋ１１２が形成されている。また、側面部１２０と正面部１１０の間の位置における下側には、縦長の開口部Ｋ１１４が形成されている。
【００７５】
また、側面部１３０は、正面部１１０の正面視における左側の端部から折れ線Ｋ１１６を介して連設され、方形状を呈し、切目線（第２切目線）１３２と切目線１３４ａ、１３４ｂが形成されている。
【００７６】
この側面部１３０の構成は、側面部１２０と前後方向に垂直な仮想的な平面である中心面を介して開口部Ｋ１１４や切欠部Ｋ１１８の箇所の形状を除き対称に形成されていて、切目線１３２は、切目線１２２と対称に形成され、横方向に形成された略円弧状の切目線１３２ａと、切目線１３２ａの端部（左側面視における右側の端部）から下側に向けて縦方向に形成された切目線１３２ｂと、切目線１３２ｂの下端から横方向で切目線１３２ａに対して略平行に形成された略円弧状の切目線１３２ｃにより、全体に略逆コ字状に形成されている。切目線１３２は、ミシン目状の切込み（間隔をおきながら形成された切込み）（切断予定線）により形成されている。また、切目線１３２ｂの上端から下端に向けての途中位置には、切目線１３２ａや切目線１３２ｃが設けられている側とは反対側に、横方向に互いに平行な切目線１３４ａ、１３４ｂが形成されている。切目線１３４ａ、１３４ｂは、連続した切込みにより形成されている。そして、切目線１３２と、切目線１３２ａ及び切目線１３２ｃの切目線１３２ｂ側とは反対側の端部間を結ぶ直線状の折れ線Ｃ１３６により囲まれた領域が、片部１３６となり、また、切目線１３４ａと、切目線１３４ｂと、切目線１３２ｂと、切目線１３４ａ及び切目線１３４ｂの切目線１３２ｂ側とは反対側の端部間を結ぶ直線状の折れ線Ｃ１３８により囲まれた領域が、片部１３８となる。切目線１３２の詳しい構成は、切目線１２２と対称である以外は同一の構成であるので、詳しい説明を省略し、また、切目線１３４ａ、１３４ｂの構成は、切目線１２４ａ、１２４ｂと対称である以外は同一の構成であるので、詳しい説明を省略する。
【００７７】
なお、正面部１１０と側面部１３０の境界位置には、所定間隔で切込みが形成された（つまり、折曲しやすいように切込みが形成されている）直線状の折れ線Ｋ１１６が形成されている。また、側面部１３０と正面部１１０の間の位置における下側には、縦長の切欠部Ｋ１１８が形成されている。、外箱部Ａ２には、開口部Ｋ１１４や切欠部Ｋ１１８が設けられているので、正面部１１０や側面部１２０、１３０の下端が外側と内側間を移動する余裕があり、外箱部Ａ２を容易に引き上げることができる。
【００７８】
また、背面部１４０は、側面部１２０の右側面視における右端から折れ線Ｋ１２０を介して連設され、方形状を呈している。この背面部１４０の横幅は、内箱部Ａ１を外箱部Ａ２内に収納することができるように、背面部４０の横幅よりも若干大きく形成されている。
【００７９】
また、糊代部１４２は、背面部１４０の背面視における右端から折れ線（所定間隔で切込みが形成された（つまり、折曲しやすいように切込みが形成されている）直線状の折れ線Ｋ１２２）を介して連設され、縦方向に細長の帯状台形形状を呈している。この糊代部１４２は、図２に示すように、その内側の面が側面部１３０の外側の面に接着されている。
【００８０】
また、正面部１１０と側面部１２０、１３０と背面部１４０の縦幅は同一に形成されていて、内箱部Ａ１の縦幅と同一又は若干大きく形成されている。すなわち、外箱部Ａ２のスリーブ状部１０５の縦方向の長さは、内箱部Ａ１のスリーブ状部５の縦方向の長さ（最大長さ）と同一又は若干長く形成されている。
【００８１】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間Ｋ１２４が形成されている。また、上面部１８０は、側面部１３０の上端から折れ線を介して連設され、方形状（長方形状）を呈している。この上面部１８０と上面部１６０との間には隙間Ｋ１２６が形成されている。また、上面部１９０は、背面部１４０の上端から折れ線を介して連設され、方形状（長方形状）を呈している。この上面部１９０と上面部１７０との間には隙間Ｋ１２８が形成されている。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図７に示すように、上面部１６０〜１９０における隣接した上面部においては、隙間Ｋ１２４、Ｋ１２６、Ｋ１２８が形成されている。なお、蓋部としての上面部１６０〜１９０はスリーブ状部１０５の上端の各辺から連設されているが、少なくとも１つの上面部から連設されていればよい。
【００８２】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００８３】
次に、内箱部Ａ１と外箱部Ａ２とは、分離部２４、３４の箇所で互いに接着されている。つまり、分離部２４の外側の面と側面部１２０（特に、片部１２６）の内側の面とが接着剤その他の接着手段により接着されるとともに、分離部３４の外側の面と側面部１３０（特に、片部１３６）の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動するように設定されていて、同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動するように設定されている。
【００８４】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００８５】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００８６】
なお、上記内箱部Ａ１、外箱部Ａ２において、各折れ線の箇所には、予め罫線が形成されている。
【００８７】
上記構成の包装箱Ａの使用状態について説明する。包装箱Ａを使用しない状況では、上記のように包装箱Ａは平板状に折り畳むことができるので、折り畳んで保管しておく。
【００８８】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００８９】
そして、図１０に示すように、包装箱Ａの上方から複数の被収納物（商品）Ｇを内箱部Ａ１内に収納する。なお、被収納物Ｇとしては、正面部１０を組み立てた際に、先端部１８が正面本体部１２の内側に突出するので、レトルトパウチ等のパウチ製品のように柔軟性のあるものとするのが好ましい。なお、上面部１６０〜１９０は、予め上方に立設した状態になっていて、外箱部Ａ２の上方が開口した状態になっているので、被収納物Ｇはそのまま包装箱Ａの上方から収納すればよい。また、正面部１０は上方に立設した状態となっているので、被収納物の収納に支障はない。その後、上面部１６０〜１９０を閉状態にして、接着テープＴを外箱部Ａ２の正面部１１０から上面を経て背面部１４０側にまで接着させることにより、図１１に示すように、上面部１６０〜１９０を封止する。
【００９０】
以上のようにして、被収納物を包装箱Ａに包装したら、被収納物Ｇを収納した包装箱Ａを被収納物Ｇを陳列する場所に搬送する。
【００９１】
その後、被収納物を陳列する場合には、外箱部Ａ２を内箱部Ａ１から分離する。すなわち、図１２に示すように、外箱部Ａ２の側面部１２０の片部１２８を内側に押し込むことにより片部１２６の先端に指を引っかけることができるようにした後に、片部１２６を外側に回動させる。つまり、折れ線Ｃ１２６が回動軸となって片部１２６が水平方向に回動する。
【００９２】
同様に、外箱部Ａ２の側面部１３０の片部１３８を内側に押し込むことにより片部１３６の先端に指を引っかけることができるようにした後に、片部１３６を外側に回動させる。つまり、折れ線Ｃ１３６が回動軸となって片部１３６が水平方向に回動する。なお、片部１２６、１３６が回動する際の回動軸となる折れ線Ｃ１２６、Ｃ１３６の箇所には、罫線を形成しておかなくても片部１２６、１３６を回動させることにより自然と折れ線が形成されるが、予め該折れ線の箇所に罫線を形成しておいてもよい。
【００９３】
すると、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動する。同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動する。
【００９４】
そして、図１３に示すように、外箱部Ａ２を上方に引き上げることにより、被収納物を収納した状態で、かつ、分離部２４、３４が分離した状態の内箱部Ａ１が残るので、その後、正面部１０を組み立てて（つまり、前開部１４と傾斜板部１６と先端部１８を組み立てる）、傾斜板部１６を傾斜した状態にして表示状態にする。
【００９５】
すなわち、前開部１４を正面本体部１２に対して折れ線Ｃ１２を介して正面側に折り曲げる（折れ線Ｃ１２を正面側から見て谷折りとする）とともに、傾斜板部１６を前開部１４に対して折れ線Ｃ１４を介して背面側に折り曲げた状態として、図１４に示す状態とする。
【００９６】
その後、先端部１８と傾斜板部１６の境界位置を正面本体部１２の上端位置に配置し、先端部１８を傾斜板部１６に対して折れ線Ｃ１６を中心に下方に折り曲げた状態（つまり、折れ線Ｃ１６を上方から見て山折りとした状態）で、先端部１８と傾斜板部１６とを下方に押し込む。すると、先端部１８と傾斜板部１６間の切込みＫ１６に正面本体部１２の上端部分が入り込むとともに、また、先端部１８と傾斜板部１６間の切込みＫ１８に正面本体部１２の上端部分が入り込み、さらに、先端部１８と傾斜板部１６を下方に押し込むことにより、切込みＫ１６が突出部１２Ａに係止するとともに、切込みＫ１８が突出部１２Ｂに係止して、図１５、図１７に示すように、傾斜板部１６が正面側斜め上方を向いた状態に固定される。よって、傾斜板部１６に表示された広告を見やすくすることができる。
【００９７】
切込みＫ１６が突出部１２Ａに係止するとともに、切込みＫ１８が突出部１２Ｂに係止した状態では、突状部１６Ａの先端と突状部１６Ｂの先端が、図１５、図１７に示すように、正面本体部１２の正面側の面（正面本体部１２の上端部分における正面側の面）に当接し、また、図１６に示すように、先端部１８の突状部１８Ａ、１８Ｂが正面本体部１２の背面側の面に当接して、突状部１８Ａ、１８Ｂが先端部１８における突状部１８Ａ、１８Ｂ以外の部分に対して折曲した状態となる。突状部１８Ａ、１８Ｂが折曲した状態で、正面本体部１２の背面側の面に当接するので、先端部の正面本体部への固定が強固となる。なお、図１６では、突状部１８Ａ、１８Ｂの状態を分かりやすくするため、収納された商品Ｇは省略して描いている。
【００９８】
正面部１０を組み立てた状態では、図１５〜図１７に示すように、傾斜板部１６は正面側斜め上方を向いた状態に固定されるが、突状部１６Ａ、１６Ｂの長さを傾斜板部１６が所望の向きとなるように形成しておくことにより、傾斜板部１６の向きを所望の向きにすることができ、ユーザーが広告内容を見やすい向きにすることができる。
【００９９】
また、正面部１０を組み立てた状態では、先端部１８が正面本体部１２の背面側に入り込むが、被収納物Ｇをパウチ製品のように柔軟性のあるものとすることにより、先端部１８が邪魔になることがない。
【０１００】
また、本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【０１０１】
また、本実施例の包装箱Ａによれば、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離して外箱部Ａ２を上方に引き上げるのみで陳列することができるので、陳列作業を容易に行なうことができる。
【０１０２】
なお、外箱部Ａ２には、開口部Ｋ１１４と切欠部Ｋ１１８が設けられていて、正面部１１０や側面部１２０、１３０の下端が外側と内側間を移動する余裕があるので、外箱部Ａ２を容易に引き上げることができる。
【０１０３】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【０１０４】
なお、上記の説明において、外箱部Ａ２においては、スリーブ状部１０５を構成する正面部１１０と側面部１２０の境界位置に開口部Ｋ１１４が設けられ、正面部１１０と側面部１３０の境界位置に切欠部Ｋ１１８が設けられているとして説明したが、同様の構成の開口部又は切欠部を側面部１２０と背面部１４０の境界位置や側面部１３０と背面部１４０の境界位置に設けるようにしてもよい。
【０１０５】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【実施例２】
【０１０６】
次に、実施例２の包装箱について説明する。実施例２の包装箱は、内箱部Ａ１（図１８参照）と外箱部とを有している。実施例２の包装箱の外箱部は、実施例１の包装箱Ａの外箱部Ａ１と同一の構成である。
【０１０７】
実施例２の包装箱における内箱部Ａ１は、図１８に示すように構成されていて、正面部１０以外は実施例１の内箱部Ａ１と同一の構成である。
【０１０８】
正面部１０は、正面本体部１２と、正面本体部１２から折れ線（第１折れ線）Ｃ１２を介して連設された第１前開部１４−１と、第１前開部１４−１から折れ線（第４折れ線）Ｃ１４−１を介して連設された第２前開部１４−２と、第２前開部１４−２から折れ線（第２折れ線）Ｃ１４−２を介して連設された傾斜板部１６と、傾斜板部１６から折れ線（第３折れ線）Ｃ１６を介して連設された先端部１８とを有している。
【０１０９】
ここで、正面本体部１２の構成は、実施例１における正面本体部１２と同一の構成であるので、詳しい説明を省略する。
【０１１０】
また、第１前開部１４−１の構成は、高さ方向の長さ（すなわち、折れ線Ｃ１２と折れ線Ｃ１４−１間の長さ）が異なる以外は、実施例１における前開部１４と同様の構成であるので、詳しい説明を省略する。
【０１１１】
また、第２前開部１４−２は、横長の略長方形状を呈し、第１前開部１４−１との境界位置には、実施例１の切込みＫ１５と同様の構成の切込みＫ１５−１が形成されている。また、切込みＫ１５−１の両側の折れ線Ｃ１４−１に沿って、直線状の切込みＫ１５−２が形成されている。
【０１１２】
また、傾斜板部１６は、実施例１の傾斜板部１６と同様の構成であるが、略長方形状の開口部１６Ｃが形成されている点が異なる。この開口部１６Ｃは、横長長方形状の下辺の中央部分を円弧状に膨出させた形状を呈し、傾斜板部１６の左右方向の中央位置に形成されている。傾斜板部１６の上端には、実施例１と同様に、突状部１６Ａ、１６Ｂが形成されている。なお、傾斜板部１６と第２前開部１４−２との境界位置には、実施例１の切込みＫ１５と同様の構成の切込みＫ１５−３が形成されている。また、切込みＫ１５−３の両側の折れ線Ｃ１４−２に沿って、直線状の切込みＫ１５−４が形成されている。
【０１１３】
なお、折れ線Ｃ１２と折れ線Ｃ１４−１間の長さｈ１１と、折れ線Ｃ１４−１と折れ線Ｃ１４−２間の長さｈ１２と、折れ線Ｃ１４−２と折れ線Ｃ１６間の長さｈ１３については、長さｈ１３が、長さｈ１１や長さｈ１２よりも長く形成されるとともに、長さｈ１１が長さｈ１２よりも長く形成されていて、正面部１０を組み立てた場合に、傾斜板部１６と第２前開部１４−２と第１前開部１４−１とで側方から視認した場合に略三角形（具体的には、略直角三角形）をなすように構成されている。
【０１１４】
また、先端部１８は、実施例１の先端部１８と同様の構成であるので、詳しい説明を省略する。正面部１０は、以上のように構成され、左右対称に形成されている。
【０１１５】
第１前開部１４−１の折れ線Ｃ１４−１に沿った辺部が、第３辺部となり、第２前開部１４−２の折れ線Ｃ１４−２に沿った辺部が、第５辺部となり、傾斜板部１６の折れ線Ｃ１６に沿った辺部が、第４辺部となる。
【０１１６】
実施例２の包装箱の使用状態は、実施例１の包装箱と同様であるが、正面部１０の組立ては以下のように行なう。すなわち、第１前開部１４−１を正面本体部１２に対して折れ線Ｃ１２を中心に正面側に回動させる。つまり、折れ線Ｃ１２を正面側から見て谷折りとする。
【０１１７】
その後、第２前開部１４−２を第１前開部１４−１に対して折れ線Ｃ１４−１を中心に背面側に折り曲げ（つまり、折れ線Ｃ１４−１を正面側から見て山折りとする）、さらに、傾斜板部１６を第２前開部１４−２に対して折れ線Ｃ１４−２を中心に背面側に折り曲げる（つまり、折れ線Ｃ１４−２を正面側から見て山折りとする）。
【０１１８】
その後、先端部１８と傾斜板部１６の境界位置を正面本体部１２の上端位置に配置し、先端部１８を傾斜板部１６に対して折れ線Ｃ１６を中心に下方に折り曲げた状態（つまり、折れ線Ｃ１６を上方から見て山折りとした状態）で、先端部１８と傾斜板部１６とを下方に押し込む。すると、先端部１８と傾斜板部１６間の切込みＫ１６に正面本体部１２の上端部分が入り込むとともに、また、先端部１８と傾斜板部１６間の切込みＫ１８に正面本体部１２の上端部分が入り込み、さらに、先端部１８と傾斜板部１６を下方に押し込むことにより、切込みＫ１６が突出部１２Ａに係止するとともに、切込みＫ１８が突出部１２Ｂに係止して、図１９に示すように、傾斜板部１６が正面側斜め上方を向いた状態に固定される。
【０１１９】
切込みＫ１６が突出部１２Ａに係止するとともに、切込みＫ１８が突出部１２Ｂに係止した状態では、突状部１６Ａの先端と突状部１６Ｂの先端が、図１９に示すように、正面本体部１２の正面側の面に当接し、また、先端部１８の突状部（第２突状部）１８Ａ、１８Ｂが正面本体部１２の背面側の面に当接して、突状部１８Ａ、１８Ｂが先端部１８における突状部１８Ａ、１８Ｂ以外の部分に対して折曲した状態となる。
【０１２０】
よって、傾斜板部１６と第２前開部１４−２と第１前開部１４−１とで開口部１６Ｃを開口部分とするポケットを構成することができ、開口部１６Ｃからこのポケットに商品の広告や説明等を記載したカード（被収納物）を収納して使用する。よって、内箱部Ａ１の正面側に商品の広告や説明等を記載したカードを配置した状態で、被収納物を内箱部Ａ１に収納した状態で被収納物を陳列することができる。特に、ポケットは正面側に突出して設けられるため、商品を収納した状態の内箱部Ａ１を棚に置いた状態では、プライスレール（つまり、棚に載置される物の脱落を防止し、値札を設置するためのプライスレール）を正面側に超えて収納部を配置できるので、ポケットに収納されたカードをユーザに気づきやすくして販促効果を高めることができる。
【０１２１】
正面部１０を組み立てた状態では、図１９に示すように、傾斜板部１６は正面側斜め上方を向いた状態に固定されるが、実施例１の場合と同様に、突状部１６Ａ、１６Ｂの長さを傾斜板部１６が所望の向きとなるように形成しておくことにより、傾斜板部１６の向きを所望の向きにすることができ、開口部１６Ｃからポケットに収納されたカードの向きを所望の向きとすることができ、カードの向きをユーザーから見やすい向きにすることができる。また、傾斜板部１６の正面側の面に広告内容を表示した場合でも、ユーザーが広告内容を見やすい向きにすることができる。なお、図１９では、内箱部Ａ１に収納された商品Ｇは省略して描いている。
【実施例３】
【０１２２】
次に、実施例３の包装箱について説明する。実施例３の包装箱は、内箱部Ａ１（図２０参照）と外箱部とを有している。実施例３の包装箱の外箱部は、実施例１の包装箱Ａの外箱部Ａ２と同一の構成である。
【０１２３】
実施例３の包装箱における内箱部Ａ１は、図２０に示すように構成されていて、傾斜板部１６の開口部１６Ｃの構成が異なる以外は、実施例２の内箱部Ａ１と同様の構成である。
【０１２４】
すなわち、開口部１６Ｃは、傾斜板部１６の左右方向の中央よりも右側面側に偏在した位置に設けられ楕円形を呈している。
【０１２５】
実施例３の包装箱の使用状態は、実施例２の包装箱と同様であり、正面部１０を組み立てた状態では、図２１に示すように、突状部１６Ａの先端と突状部１６Ｂの先端が、正面本体部１２の正面側の面に当接し、傾斜板部１６が正面側斜め上方を向いた状態に固定され、また、先端部１８の突状部（第２突状部）１８Ａ、１８Ｂが正面本体部１２の背面側の面に当接して、突状部１８Ａ、１８Ｂが先端部１８における突状部１８Ａ、１８Ｂ以外の部分に対して折曲した状態となる。
【０１２６】
正面部１０を組み立てた場合に、傾斜板部１６と第２前開部１４−２と第１前開部１４−１とで側方から視認した場合に略直角三角形をなすが、正面部１０を組み立てた状態で、開口部１６Ｃから、テスター（店頭に置いてあるお試し用の見本品（例えば、化粧品の見本品））（被収納物）を収納しておく。
【０１２７】
つまり、傾斜板部１６と第２前開部１４−２と第１前開部１４−１とで開口部１６Ｃを開口部分とするポケットを構成することができ、このポケットにテスターを収納して使用する。よって、内箱部Ａ１の正面側にテスターを配置した状態で、被収納物を内箱部Ａ１に収納した状態で被収納物を陳列することができる。特に、ポケットは正面側に突出して設けられるため、商品を収納した状態の内箱部Ａ１を棚に置いた状態では、プライスレール（つまり、棚に載置される物の脱落を防止し、値札を設置するためのプライスレール）を正面側に超えて収納部を配置できるので、ポケットに収納されたテスターをユーザに気づきやすくして販促効果を高めることができる。
【０１２８】
正面部１０を組み立てた状態では、図２１に示すように、傾斜板部１６は正面側斜め上方を向いた状態に固定されるが、実施例１の場合と同様に、突状部１６Ａ、１６Ｂの長さを傾斜板部１６が所望の向きとなるように形成しておくことにより、傾斜板部１６の向きを所望の向きにすることができ、開口部１６Ｃからポケットに収納されたテスターの向きを所望の向きとすることができ、テスターの向きをユーザーから見やすい向きにすることができる。また、傾斜板部１６の正面側の面に広告内容を表示した場合でも、ユーザーが広告内容を見やすい向きにすることができる。なお、図１９では、内箱部Ａ１に収納された商品Ｇは省略して描いている。
【０１２９】
なお、上記実施例１〜３において、切込みや切目線を形成する切込みは、シート状のブランクの一方の面から他方の面まで貫通して形成されているものである。
【符号の説明】
【０１３０】
Ａ 包装箱
Ａ１ 内箱部
Ａ２ 外箱部
５、１０５ スリーブ状部
１０、１１０ 正面部
１２  正面本体部
１２Ａ、１２Ｂ  突出部
１４  前開部
１６  傾斜板部
１６Ａ、１６Ｂ  突状部
１８  先端部
１８Ａ、１８Ｂ  突状部
２０、３０、１２０、１３０ 側面部
２２、３２ 本体部
２４、３４ 分離部
４０、１４０ 背面部
４２、１４２ 糊代部
５０ 底面部
６０  第１片部
７０  第２片部
８０  第３片部
９０  第４片部
１２６、１２８、１３６、１３８ 片部
１６０、１７０、１８０、１９０ 上面部
Ｋ１６、Ｋ１８  切込み
【図１】
0003179758.tif 000003
【図２】
0003179758.tif 000004
【図３】
0003179758.tif 000005
【図４】
0003179758.tif 000006
【図５】
0003179758.tif 000007
【図６】
0003179758.tif 000008
【図７】
0003179758.tif 000009
【図８】
0003179758.tif 000010
【図９】
0003179758.tif 000011
【図１０】
0003179758.tif 000012
【図１１】
0003179758.tif 000013
【図１２】
0003179758.tif 000014
【図１３】
0003179758.tif 000015
【図１４】
0003179758.tif 000016
【図１５】
0003179758.tif 000017
【図１６】
0003179758.tif 000018
【図１７】
0003179758.tif 000019
【図１８】
0003179758.tif 000020
【図１９】
0003179758.tif 000021
【図２０】
0003179758.tif 000022
【図２１】
0003179758.tif 000023